(57)【要約】【課題】運搬物の数量が多かったり一つの運搬物が大きかったりしても、効率的に運搬することのできる運搬台車の連結構造を提供する。【解決手段】本発明の運搬台車１の連結構造は、運搬物を載置可能な平面視矩形状の本体４と、本体４に取付けられた複数の車輪５とを備える運搬台車１同士を、連結部材２を用いて連結するものである。運搬台車１の本体４のコーナー部近傍には、上下方向に貫通する貫通孔１１が形成されている。連結部材２は、平板状の平面部１９と、平面部１９の下面から下方向に突出する複数の突出片２１とを備えており、複数の突出片２１が、隣り合う運搬台車１同士の各貫通孔１１にそれぞれ挿入されることにより、運搬台車１同士が連結される。【選択図】図６
2018131132.tif 000002
【特許請求の範囲】
【請求項１】
運搬物を載置可能な平面視矩形状の本体と、前記本体に取付けられる複数の車輪とを備える運搬台車同士を、連結部材を用いて連結する運搬台車の連結構造であって、
前記運搬台車の前記本体のコーナー部近傍には、上下方向に貫通する貫通孔が形成されており、
前記連結部材は、
少なくとも平板状の平面部と、前記平面部の下面から下方向に突出する複数の突出片とを備え、
前記複数の突出片が、前記隣り合う運搬台車同士の各貫通孔にそれぞれ挿入されることにより、前記運搬台車同士が連結されることを特徴とする、運搬台車の連結構造。
【請求項２】
前記本体は、上下方向に所定の厚みを有する枠体によって構成されており、
前記連結部材の突出片の長さは、
前記枠体の上下方向における厚みより大とされている、請求項１に記載の運搬台車の連結構造。
【請求項３】
前記連結部材には、
前記平面部の下面から下方向に延びる平板状の仕切り片が設けられ、
前記仕切り片は、
前記運搬台車同士が連結される際、前記隣り合う運搬台車同士の隙間に挟まれる、請求項１または２に記載の運搬台車の連結構造。
【請求項４】
前記本体のコーナー部には、前記運搬台車を移動させる際に用いられる棒状部材の端部が挿入可能な挿入凹部が形成されており、
前記連結部材の前記平面部には、
前記運搬台車同士が連結される際、前記運搬台車のいずれかの挿入凹部に連通される連通孔が形成されている、請求項１ないし３のいずれかに記載の運搬台車の連結構造。
【請求項５】
運搬物を載置可能な平面視矩形状の本体と、前記本体に取付けられる複数の車輪とを備える運搬台車同士を連結するための連結部材であって、
少なくとも平板状の平面部と、前記平面部の下面から下方向に突出する複数の突出片とを備え、
前記複数の突出片が、前記隣り合う運搬台車同士の各コーナー部近傍に形成され上下方向に貫通する各貫通孔にそれぞれ挿入されることにより、前記運搬台車同士を連結することを特徴とする、連結部材。
【請求項６】
前記突出片の長さは、
前記本体を構成する枠体の上下方向における厚みより大とされている、請求項５に記載の連結部材。
【請求項７】
前記平面部の下面から下方向に延びる平板状の仕切り片が設けられ、
前記仕切り片は、
前記運搬台車同士が連結される際、前記隣り合う運搬台車同士の隙間に挟まれる、請求項５または６に記載の連結部材。
【請求項８】
前記平面部には、連通孔が形成されており、
前記連通孔は、前記運搬台車同士が連結される際、前記運搬台車の本体のコーナー部に形成され、前記運搬台車を移動させる際に用いられる棒状部材の端部が挿入可能な、いずれかの挿入凹部に連通される、請求項５ないし７のいずれかに記載の連結部材。
【発明の詳細な説明】
【技術分野】
【０００１】
本発明は、例えば仮設部材等の運搬物を運搬するための運搬台車において、複数の運搬台車を連結するための連結構造及び連結部材に関する。
【背景技術】
【０００２】
従来、例えば仮設部材等の運搬物を運搬する際には、運搬台車が用いられる（例えば「特許文献１」参照）。この運搬台車は、運搬物を載置するための平面視矩形状の本体を有している。
【０００３】
運搬物としての仮設部材には、例えば長尺状の支柱や腕木材、平板状の足場板等があり、これらは形状や大きさが異なるので、これらの数量が多くなると、全ての運搬物を運搬台車に一度に積載できない場合が多い。
【０００４】
そのような場合には、運搬物を複数の塊に区分して運搬台車に積載し、複数回に分けて運搬する必要があった。また、一つの運搬物が本体より大きい場合には、運搬物を積載すること自体ができないことがあった。
【先行技術文献】
【特許文献】
【０００５】
【特許文献１】特開平８−３０１１２１号公報
【発明の概要】
【発明が解決しようとする課題】
【０００６】
本発明は、上記した事情のもとで考え出されたものであって、運搬物の数量が多かったり一つの運搬物が大きかったりしても、効率的に運搬することのできる運搬台車の連結構造を提供することをその課題とする。また、複数の運搬台車を連結するための連結部材を提供することをその課題とする。
【課題を解決するための手段】
【０００７】
本発明の第１の側面によって提供される運搬台車の連結構造は、運搬物を載置可能な平面視矩形状の本体と、前記本体に取付けられる複数の車輪とを備える運搬台車同士を、連結部材を用いて連結する運搬台車の連結構造であって、前記運搬台車の前記本体のコーナー部近傍には、上下方向に貫通する貫通孔が形成されており、前記連結部材は、少なくとも平板状の平面部と、前記平面部の下面から下方向に突出する複数の突出片とを備え、前記複数の突出片が、前記隣り合う運搬台車同士の各貫通孔にそれぞれ挿入されることにより、前記運搬台車同士が連結されることを特徴としている。
【０００８】
本発明の運搬台車の連結構造において、前記本体は、上下方向に所定の厚みを有する枠体によって構成されており、前記連結部材の突出片の長さは、前記枠体の上下方向における厚みより大とされているとよい。
【０００９】
本発明の運搬台車の連結構造において、前記連結部材には、前記平面部の下面から下方向に延びる平板状の仕切り片が設けられ、前記仕切り片は、前記運搬台車同士が連結される際、前記隣り合う運搬台車同士の隙間に挟まれるとよい。
【００１０】
本発明の運搬台車の連結構造において、前記本体のコーナー部には、前記運搬台車を移動させる際に用いられる棒状部材の端部が挿入可能な挿入凹部が形成されており、前記連結部材の前記平面部には、前記運搬台車同士が連結される際、前記運搬台車のいずれかの挿入凹部に連通される連通孔が形成されているとよい。
【００１１】
本発明の第２の側面によって提供される連結部材は、運搬物を載置可能な平面視矩形状の本体と、前記本体に取付けられる複数の車輪とを備える運搬台車同士を連結するための連結部材であって、少なくとも平板状の平面部と、前記平面部の下面から下方向に突出する複数の突出片とを備え、前記複数の突出片が、前記隣り合う運搬台車同士の各コーナー部近傍に形成され上下方向に貫通する各貫通孔にそれぞれ挿入されることにより、前記運搬台車同士を連結することを特徴としている。
【００１２】
本発明の連結部材において、前記突出片の長さは、前記本体を構成する枠体の上下方向における厚みより大とされているとよい。
【００１３】
本発明の連結部材において、前記平面部の下面から下方向に延びる平板状の仕切り片が設けられ、前記仕切り片は、前記運搬台車同士が連結される際、前記隣り合う運搬台車同士の隙間に挟まれるとよい。
【００１４】
本発明の連結部材において、前記平面部には、連通孔が形成されており、前記連通孔は、前記運搬台車同士が連結される際、前記運搬台車の本体のコーナー部に形成され、前記運搬台車を移動させる際に用いられる棒状部材の端部が挿入可能な、いずれかの挿入凹部に連通されるとよい。
【発明の効果】
【００１５】
本発明の運搬台車の連結構造によれば、隣り合う運搬台車の各コーナー部近傍に形成された各貫通孔に、連結部材の各突出片がそれぞれ挿入されるので、隣り合う運搬台車同士が強固に連結される。そのため、連結部材を用いて連結された複数の運搬台車によって、運搬物の数量が多かったり一つの運搬物が大きかったりしても、効率的に運搬物を運搬することができる。
【図面の簡単な説明】
【００１６】
【図１】本発明に係る運搬台車の連結構造を示す斜視図である。
【図２】図１に示す連結構造が適用される運搬台車の斜視図である。
【図３】主天板及び補助天板を取り外したときの運搬台車を示す斜視図である。
【図４】連結部材を示す斜視図である。
【図５】連結部材の外形を示し、（ａ）は平面図、（ｂ）は正面図、（ｃ）は側面図である。
【図６】連結部材を運搬台車に取付ける際の状態を説明するための図である。
【図７】４台の運搬台車が連結される連結構造を示す斜視図である。
【図８】４台用連結部材を示す斜視図である。
【図９】４台用連結部材の外形を示し（ａ）は平面図、（ｂ）は正面図、（ｃ）は側面図、（ｄ）は底面図である。
【発明を実施するための形態】
【００１７】
以下、本発明の実施の形態につき、図面を参照して具体的に説明する。
【００１８】
図１は、本発明に係る運搬台車の連結構造を示す斜視図である。この運搬台車の連結構造は、例えば運搬物を運搬するための運搬台車が複数準備され、これら複数の運搬台車同士を連結するときに適用される。この連結構造は、主として運搬物の数量が多かったり、一つの運搬物が大きかったりする場合に用いられる。
【００１９】
この運搬台車の連結構造は、連結される複数の運搬台車１と、運搬台車１同士を連結するための連結部材２と、複数の手押し棒３（特許請求の範囲に記載の「棒状部材」に相当する）とを備えている。なお、図１では、２台の運搬台車１が長手方向の側面同士を対向させて連結される場合を示しているが、両運搬台車１は、短手方向の側面同士が対向されて連結されてもよい。
【００２０】
図２は、この連結構造が適用される運搬台車１の斜視図である。運搬台車１は、運搬物を載置するための平面視略矩形状の本体４と、本体４の下面に取付けられた複数の車輪５とを備えている。本実施形態における運搬台車１は、６つの車輪５を備える、いわゆる六輪台車とされている。なお、本発明に適用される運搬台車は六輪台車に限らず、４つの車輪を備える四輪台車であってもよいし、それ以外の数の車輪を備えていてもよい。また、いずれかの車輪５は、ストッパー付きとされてもよい。
【００２１】
本体４は、その上面に運搬物の載置面として機能する天板６が設けられている。天板６は、比較的面積が大の主天板７と、主天板７より面積が小の補助天板８とからなる。本実施形態における運搬台車１は、２枚の主天板７が本体４の上面に並設され、それらの間に１枚の補助天板８が配置されている。
【００２２】
図３は、主天板７及び補助天板８を取り外したときの運搬台車１を示す斜視図である。本体４は、複数の枠体が縦横に延びるとともにそれらが交差した枠組状に形成されている。このように、本体４が枠体によって枠組状に形成されることにより、複数の開口９を有することになり、この構成により本体４の軽量化が図られている。
【００２３】
図２に戻り、本体４の長手方向端部側に形成される２つの開口９には、車輪５を取付けるための車輪取付部１０がそれぞれ設けられている。車輪取付部１０は平板状に形成され、下面側に車輪５が例えばボルト止めされている。
【００２４】
また、これらの開口９の内側であって本体４の各コーナー部近傍には、上下方向に貫通する貫通孔１１が形成されている。貫通孔１１は、厳密には平面視台形状であって本体４の枠体と車輪取付部１０の端面とによって形成されている。この貫通孔１１は、複数の運搬台車１を連結する場合に、後述する連結部材２の突出片２１が挿入支持されるものである。
【００２５】
また、本体４の長手方向中央であって補助天板８の長手方向両端部側には、凹部１２がそれぞれ形成されており、凹部１２の下部に平板状の車輪取付部１３が設けられている。この車輪取付部１３の下面側には、車輪取付部１０と同様に車輪５が例えばボルト止めされている。
【００２６】
本体４の４隅には、手押し棒３を挿入保持可能な挿入凹部１５が上下方向に延びて形成されている。なお、挿入凹部１５の下部には、手押し棒３を支持するための図示しない支持片が形成されており、挿入された手押し棒３がそのまま貫通しないようにされている。
【００２７】
本体４の４隅であって挿入凹部１５の外側には、カバー１６が例えば本体４にリベット止めされてそれぞれ取付けられている。カバー１６は、地盤に接しない程度の上下方向の長さとされ、下方に向かうほど幅狭になるようテーパが形成されている。
【００２８】
ここで、図１に示すように、２台の運搬台車１が連結される場合、隣り合う運搬台車１の外側面同士の間に、２つの連結部材２が取付られる。なお、連結部材２は、運搬台車１同士の連結をバランスよく維持するために、２つ用いられることが望ましい。
【００２９】
図４は連結部材２を示す斜視図であり、図５は連結部材２の外形を示し、（ａ）は平面図、（ｂ）は正面図、（ｃ）は側面図である。連結部材２は、側面視でＬ字状の本体１８を有し、本体１８は、水平方向に広がる矩形状の平面部１９と、平面部１９の端部から下方向に延び略ホームベース状の側面部２０とからなる。側面部２０は、その上下方向の長さが本体４の枠体の上下方向の厚みより十分大とされている。
【００３０】
平面部１９には、その下面の角部近傍から下方向に突出する２本の突出片２１が形成されている。突出片２１は、その長さが本体４の枠体の上下方向の厚みより大とされている。すなわち、突出片２１が貫通孔１１に挿入されたときに、その先端が十分露出されるようにされている。また、突出片２１の先端は、先に向かうほど幅狭になるようテーパが形成されている。これにより、突出片２１が貫通孔１１に挿入され易くなる。連結部材２の２本の突出片２１が、隣り合う運搬台車１同士の各貫通孔１１にそれぞれ挿入されることにより、隣り合う運搬台車１同士が連結される。
【００３１】
平面部１９には、その下面から下方向に延び平板状でかつ略Ｔ字状の仕切り片２２が設けられている。仕切り片２２は、その先端部の上下方向の長さが本体４の枠体の上下方向の厚みと同等かあるいは大とされている。仕切り片２２は、運搬台車１が連結される際、隣り合う運搬台車１の隙間に挟まれる。これにより、運搬台車１同士が一定の幅を有して連結されることになり、運搬台車１の側面同士が互いに擦れ合って損傷することを防止できる。
【００３２】
また、平面部１９の所定位置には、円状の連通孔２３が形成されている。この連通孔２３は、運搬台車１同士が連結される際、運搬台車１のコーナー部に形成されたいずれかの挿入凹部１５に連通されるような位置に配置されている。そのため、連結部材２が運搬台車１に取付られた際、手押し棒３を支障なく挿入凹部１５に挿入することができる。例えば図１において手前側の連結部材２の連通孔２３は、左側の運搬台車１の挿入凹部１５に連通され、奥行側の連結部材２の連通孔２３は、右側の運搬台車１の挿入凹部１５に連通される。
【００３３】
手押し棒３は、作業者が運搬台車１を手押しする場合に用いられるものであり、パイプ状に形成されている。なお、手押し棒３は、作業者によって手前側に引っ張られることによって運搬台車１を移動させる際に用いられてもよく、あるいは運搬物の荷崩れ防止用として用いられてもよい。
【００３４】
また、手押し棒３は、必要に応じて任意の挿入凹部１５に任意の数が挿入されればよい。例えば、図１に示すように、運搬台車１を白矢印Ａの方向に進行させるときは、図１に示す挿入凹部１５に手押し棒３を挿入して用いればよい。あるいは、運搬台車１を白矢印Ｂの方向に進行させるときは、図１において手前側にある挿入凹部１５に手押し棒３を挿入して用いればよい。
【００３５】
次に、本実施形態の運搬台車１の連結構造における作用について説明する。
【００３６】
作業者が２台の運搬台車１を連結する場合、例えば図１に示すように、運搬台車１の長手方向の側面同士が対向するようにして運搬台車１同士を連結する。
【００３７】
連結部材２は、２台の運搬台車１のコーナー部の側面同士が合わされる箇所において、図１では２箇所にそれぞれ取付けられる。この場合、図６に示すように、連結部材２の側面部２０を２台の運搬台車１の外側面（カバー１６）に沿わせ、２本の突出片２１を、各運搬台車１の枠体を跨ぐようにしてコーナー部近傍に形成されている貫通孔１１にそれぞれ挿入する。このとき、連結部材２の仕切り片２２は、２台の運搬台車１の側面同士の隙間に挿入され、連結部材２の平面部１９は、運搬台車１のコーナー部の上面を覆うように配置される。
【００３８】
このように、一つの連結部材２が、側面部２０、平面部１９及び突出片２１によって、隣り合う運搬台車１のコーナー部（枠体）同士を跨ぐようにして運搬台車１同士を固定するので、隣り合う運搬台車１は、連結部材２によって容易に分離されることなく強固に連結されることになる。
【００３９】
仕切り片２２は、運搬台車１同士の隙間に挟みこまれるので、運搬台車１の側面の損傷を防止できる。すなわち、仮に仕切り片２２がない場合、運搬台車１が移動されると、その移動中に運搬台車１の側面同士が擦れて運搬台車１の側面が損傷することがある。しかし、本実施形態では、仕切り片２２によってそのような不具合を抑制することができる。また、カバー１６が例えば本体４にリベット止めされている場合、リベットの頭が隣接する運搬台車１に接触して、当該運搬台車１の表面を傷つけたりリベットが離脱したりする場合があるが、仕切り片２２によってそのようなことを防止することができる。
【００４０】
側面部２０、突出片２１及び仕切り片２２は、それらの長さが運搬台車１の本体４の上下方向の厚みより大とされているので、運搬物の運搬中において多少振動が生じたり段差を通過したりするときでも、連結部材２が運搬台車１から容易に取り外されないようにされる。
【００４１】
また、本実施形態における運搬台車１では、本体４のコーナーに形成された挿入凹部１５に手押し棒３が挿入される。連結部材２の平面部１９には、連通孔２３が形成され、連通孔２３は、連結部材２が運搬台車１に取付けられた場合に、挿入凹部１５と連通するように配置されているので、手押し棒３を支障なく連通孔２３を介して挿入凹部１５に挿入することができる。
【００４２】
図７は、４台の運搬台車１が連結される場合を示す斜視図である。４台の運搬台車１が連結される場合は、運搬台車１を２台連結する場合に用いる連結部材２の他に、４台の運搬台車１同士の中央に取付けられ、４台の運搬台車１を一斉に連結する４台用連結部材２５が用いられる。
【００４３】
図８は４台用連結部材２５の斜視図であり、図９は４台用連結部材２５の外形を示し、（ａ）は平面図、（ｂ）は正面図、（ｃ）は側面図、（ｄ）は底面図である。
【００４４】
この４台用連結部材２５は、平板状の平面部２６を有し、平面部２６の下面には、４つの角部近傍に下方に延びる突出片２７がそれぞれ形成されている。また、平面部２６の下面中央部には、下方向に延び底面視で十字状の仕切り片２８が形成されている。突出片２７及び仕切り片２８の機能は、連結部材２と同様である。
【００４５】
なお、４台用連結部材２５が用いられるのは、図７に示すように、縦横とも複数の運搬台車１が配置されて連結する場合に用いられる。そのため、縦方向のみあるいは横方向のみに複数の運搬台車１が連結される場合には、２台連結用の連結部材２のみが用いられる。
【００４６】
４台用連結部材２５を用いる場合には、例えば４台の運搬台車１の中央位置において、各突出片２７が各運搬台車１の各コーナー部に形成された各貫通孔１１にそれぞれ挿入される。この場合、４台用連結部材２５の仕切り板２８は、４台の運搬台車１の側面同士の隙間に挿入され、４台用連結部材２５の平面部２６は、４台の運搬台車１の中央位置である各コーナー部の上面を覆うように配置される。
【００４７】
また、連結部材２は、２台の運搬台車１のコーナー部の側面同士が合わされる箇所（図７では４ヶ所）にそれぞれ取付けられる。また、手押し棒３が必要に応じて運搬台車１のコーナー部の挿入凹部１５あるいは連結部材２の連通孔２３に取付けられる。
【００４８】
上記のように、例えば運搬台車１が４台連結される場合には、４台用連結部材２５及び４つの連結部材２によって、４台の運搬台車１が容易に分離されることなく強固に連結される。特に、図７に示す場合には、４台の運搬台車１の中央位置に配置される４台用連結部材２５によって、４台の運搬台車１は、より一層強固に連結することができる。
【００４９】
なお、本発明の範囲は上述した実施の形態に限定されるものではなく、発明の範囲を逸脱しない範囲で種々の変更を行うことができる。例えば、上記実施形態における運搬台車１の本体４、連結部材２、４台用連結部材２５等の形状、大きさ、数量等は、上記実施形態に限るものではなく、適宜設計変更可能である。例えば、連結部材２の連通孔２３は、連結された運搬台車１の各挿入凹部１５に連通するように、平面部１９に２つ形成されていてもよく、あるいは両挿入凹部１５を包含するように１つの孔に形成されていてもよい。また、例えば、上記実施形態において、４台用連結部材２５の平面部２６はフラットな面とされたが、この平面部２６に連結部材２の平面部１９に形成されていた連通孔２３が形成されていてもよい。
【符号の説明】
【００５０】
１    運搬台車
２    連結部材
３    手押し棒
４    本体
５    車輪
１１    貫通孔
１５    挿入凹部
２１    突出片
２２    仕切り片
２５    ４台用連結部材
２７    突出片（４台用連結部材の）
２８    仕切り片（４台用連結部材の）
【図１】
2018131132.tif 000003
【図２】
2018131132.tif 000004
【図３】
2018131132.tif 000005
【図４】
2018131132.tif 000006
【図５】
2018131132.tif 000007
【図６】
2018131132.tif 000008
【図７】
2018131132.tif 000009
【図８】
2018131132.tif 000010
【図９】
2018131132.tif 000011